(57)【要約】用途の柔軟性が高い装身具構造は、２本のコードと摺動可能に組み合わされた部品を備え、コードは、部品用のストッパ部材を一端部に、コードを取り外し可能につなぎ合わせて閉鎖リングを形成するための連結部材を他端部に有し、部品をコードに沿って並進させることにより、閉鎖リングの大きさを変化させることができる。
2005536301.tif 000002
【特許請求の範囲】
【請求項１】
用途の柔軟性が高い装身具構造であって、２本のコードと摺動可能に組み合わされた部品を備え、前記コードは、一端部に前記部品用のストッパ部材を、他端部に前記コードを取り外し可能につなぎ合わせて閉鎖リングを形成するための連結部材を有し、前記部品を前記コードに沿って並進させることにより、前記閉鎖リングの大きさを変化させることができることを特徴とする装身具構造。
【請求項２】
前記部品は、同軸的に互いに組み合わされた、直径が漸減する３つのディスクから形成され、前記ディスクに２つの穴が貫設されていることを特徴とする請求項１に記載の構造。
【請求項３】
最大直径のディスクの前記穴の間の距離は、最小直径のディスクの前記穴の間の距離より長く、そのため、前記穴は互いにわずかに収束することを特徴とする１又はそれ以上の先行する請求項に記載の構造。
【請求項４】
前記コードは、その長さに沿って、前記穴の内側に摩擦を発生させるのに適した少なくとも１つの区域を有し、前記摩擦は、前記部品を前記区域内に保持するのに十分であることを特徴とする１又はそれ以上の先行する請求項に記載の構造。
【請求項５】
前記少なくとも１つの区域内での前記コードの直径は、前記穴の直径と同じか、またはそれよりわずかに大きいことを特徴とする１又はそれ以上の先行する請求項に記載の構造。
【請求項６】
前記部品は、前記ストッパ部材に当接する位置にあるとき、１つまたは複数の貴重品および／または装飾品用の支持体として機能することを特徴とする１又はそれ以上の先行する請求項に記載の構造。
【請求項７】
前記ストッパ部材は、前記穴の直径より大きい直径の２つのボールを有することを特徴とする１又はそれ以上の先行する請求項に記載の構造。
【請求項８】
前記摺動部品および／または前記貴重品および／または装飾品用のストッパを有することを特徴とする１又はそれ以上の先行する請求項に記載の構造。
【請求項９】
前記部品は、断面が図案化されたわしの形状を示すことを特徴とする、先行する１又はそれ以上の先行する請求項に記載の構造。
【発明の詳細な説明】
【技術分野】
【０００１】
本発明は、用途の柔軟性が高い装身具構造に関する。
【背景技術】
【０００２】
既知のように、装身具は、その言葉の一般的な意味で理解されるとき、古来よりそれを装着した人をより美しく見せるという主目的を有してきた。
【０００３】
したがって、さまざまなタイプの装身具や装飾品などにおいて、非常に数多くの異なった構造であるにもかかわらず、それらの実際の唯一の用途は、上述したようなものである。
【０００４】
実際に、現在市販されている装身具や装飾品などには、人をより美しく見せること以外に他の機能が存在していない。
【０００５】
実際に、ペーパーナイフ、クリップ、キーホルダなどとして考えられる機能は完全に個別のものであるので、この場合、それは１つの用途だけを有し、それは見栄えをよくした道具であるが、たとえば、紙押さえをそれの主機能に使用すると共に、それを装着用とすることは不可能であるためである。
【発明の開示】
【発明が解決しようとする課題】
【０００６】
本発明で提案されている課題は、従来技術の上記欠点を解決することである。この課題において、本発明の１つの重要な目的は、たとえば、ケースのロック用の部品とまったく同様に有効に使用することができるか、または装着されるか、あるいは宝石、コイン、貴金属、その他の貴重品を支持するための部品としても使用することができる、用途の柔軟性が高い装身具構造を実現することである。
【０００７】
本発明のさらに他の目的は、上記機能を実行すると共に、キーホルダなどの任意の保持部品に容易に取って替わることができる、用途の柔軟性が高い装身具構造を実現することである。
【０００８】
本発明の、最後に大事な目的は、主機能に使用することができると共に、ユーザの要求および可能性に従ってさらなる貴重な、または美的で魅力的な部品で外観を順次豪華にしてより美しく見えるようにした、用途の柔軟性が高い装身具構造を実現することである。
【課題を解決するための手段】
【０００９】
この課題は、上記および他の目的と共に、用途の柔軟性が高い装身具構造であって、２本のコードと摺動可能に組み合わされた部品を備え、コードは、上記部品用のストッパ部材を一端部に、上記コードを取り外し可能につなぎ合わせて閉鎖リングを形成するための連結部材を他端部に有し、上記部品を上記コードに沿って並進させることにより、閉鎖リングの大きさを変化させることができることを特徴とする装身具構造によって達成される。
【発明を実施するための最良の形態】
【００１０】
本発明のさらなる特徴および利点は、本発明に従った装身具構造の詳細な説明、図示の目的で示されている添付図面からさらに明らかになるであろう。
【００１１】
図１は、本発明に従った装身具構造の、その摺動部品がコードの端部に配置されている場合の平面図であり、図２は、一例として、摺動部品が本発明に従ったコードの長さの２／３の位置に配置されている装身具構造を示し、図３は、摺動部品が、たとえば貴重品用の支持体として機能する場合の装身具構造を示す概略図であり、図４および図５は、摺動部品が、たとえば１つまたは複数の装飾的宝石を支持する場合の装身具構造を示し、図６および図７は、摺動部品の拡大断面図を示し、図８は、たとえば、箱を閉じるために使用された本発明を示す。
【実施例１】
【００１２】
特に上記図面を参照すると、全体が参照番号１で表された用途の柔軟性が高い装身具構造は、全体が２で表された部品を有し、その部品はそれぞれ３で表された２本のコードと摺動可能に組み合わされており、これらのコードはストッパ部材を第１端部に有しており、このストッパ部材は、たとえば、部品２の２つの小さいボール４でもよい。
【００１３】
ボールと反対の端部に、コードは包括的に５で表された連結部材を有し、この連結部材は任意の止め具とすることができ、この場合は特に雌および雄ねじが付けられて互いに螺合させることができるようにした２つの小さなシリンダ１８によって形成することができる。
【００１４】
連結部材１８を閉じることにより、コード３を取り外し可能につなぎ合わせることができ、それにより、閉じたリング６であって、たとえば、図１および図２に見ることができるように、部品２をコードに沿って並進させることによって大きさを変更することができるリング６を形成することができる。
【００１５】
好都合には、部品２は、３つのディスク７、８および９から形成され、これらのディスクは、直径がディスク７からディスク９まで漸減し、また互いに同軸的に配置されて単一体を形成している。
【００１６】
これらの３つのディスク７、８および９には２つの穴１０が貫設されている。
【００１７】
好都合には、最大直径のディスク７の穴１０の間の距離は、最小直径のディスク９の穴の間の距離より長く、そのため、２つの穴は互いにわずかに狭まっている。
【００１８】
穴が狭まることは、上側ディスク７からの出口において、部品２が誤ってコードに沿って摺動してしまう可能性を低下させるようにコードの傾斜を決定するという二重の利点がある。
【００１９】
さらに、これにより、３つのディスク７、８および９の上端で引き起こされた力は、減少した形で２つのボール４上に放出される。
【００２０】
好都合には、コードはその長さに沿って、部品２を所定位置に保持できるように穴１０の内側に摩擦を引き起こすのに適した少なくとも１つの区域１１を有する。
【００２１】
コードは、多くの区域１１を有することができ、あるいは、その全長に沿って、穴１０の内側に相当な摩擦を引き起こし、それにより、いずれの長さ部分においても部品２を位置決めできるように実現されることさえできることは、明らかである。実際に、区域１１において、またはコードの全長に沿って、あるいは多くの区域１１で、これらの直径は穴の直径と同じか、またはそれよりわずかに大きく、それにより、部品２を所望位置に保持するために必要な摩擦を引き起こすことができる。区域１１の代わりに、コードは他の貴重品を所望位置に保持するのに適したストッパ１６を有することができる。
【００２２】
図２に見られるように、コードの部品２から出る部分を異なった長さにすることができ、それにより、装身具の美的形状を所望通りに変化させるようにすることも可能である。
【００２３】
さらに、図４および図５に見られるように、部品２は、宝石１５や互いに組み合わされるかまたは離隔配置される多くの宝石といった、他の貴重品および／または装飾品用の支持体として機能することができる。
【００２４】
この場合も、部品２の摺動の結果、コードの任意領域に宝石１５を位置決めできることにより、装身具の美的形状およびその機能を所望通りに変更することができる。
【００２５】
実際に、図１および図２に示されているような宝石類は、箱（図８）あるいは眼鏡ケースなどのための閉鎖部品として好都合に使用することもでき、さらには、キーホルダ、紙押さえ、ヘアクリップ、ブレスレット、ベルトなどとして使用することさえ可能である。
【００２６】
好ましくは、３つのディスク７、８および９によって形成される部品は、上側から見た場合、図案化されたわしを表すことも特記すべきである。
【００２７】
本発明に従った、用途の柔軟性が高い装身具構造の作用は、以上に説明し図示したものから明らかである。
【００２８】
特に、すでに強調したように、摺動部品２はコード３の長さに沿った任意の位置に位置決めすることができ、それにより装身具が異なった用途のために異なった形状をとることができる。
【００２９】
宝石または他の貴重品および／または装飾品をコード３に挿入する場合、部品２はコード３に沿った任意部分で必要に応じてそれらのための支持体および位置決め体として機能するであろう。実際に、本発明に従った装身具構造はいかに人をより美しく見せるための部品として装着されることができるようにするのに特に好都合であるか、その外観を変更することによってそれの形状および用途を変更することができるか、それをヘアクリップとして、ブレスレットとして、キーホルダとして、箱、パッケージおよびケースを閉じる部品として、また、最後に大事な目的において、スカートおよびズボン用の支持体としても、あるいは、足くびや水着などに装着した場合に人を魅力的に見せる部品としても使用することができるかに留意すべきである。。
【００３０】
実際に、使用材料は寸法と共に、要件および従来技術に従ったいずれのものにすることもできる。
【図１】
2005536301.tif 000003
【図２】
2005536301.tif 000004
【図３】
2005536301.tif 000005
【図６】
2005536301.tif 000006
【図７】
2005536301.tif 000007
【図４】
2005536301.tif 000008
【図５】
2005536301.tif 000009
【図８】
2005536301.tif 000010
【手続補正書】
【提出日】平成17年4月25日(2005.4.25)
【手続補正１】
【補正対象書類名】特許請求の範囲
【補正対象項目名】全文
【補正方法】変更
【補正の内容】
【特許請求の範囲】
【請求項１】
用途の柔軟性が高い装身具構造であって、２本のコードと摺動可能に組み合わされた部品を備え、前記コードは、一端部に前記部品用のストッパ部材を、他端部に前記コードを取り外し可能につなぎ合わせて閉鎖リングを形成するための連結部材を有し、前記部品を前記コードに沿って並進させることにより、前記閉鎖リングの大きさを変化させることができることを特徴とする装身具構造。
【請求項２】
前記部品は、同軸的に互いに組み合わされた、直径が漸減する３つのディスクから形成され、前記ディスクに２つの穴が貫設されていることを特徴とする請求項１に記載の構造。
【請求項３】
最大直径のディスクの前記穴の間の距離は、最小直径のディスクの前記穴の間の距離より長く、そのため、前記穴は互いにわずかに収束することを特徴とする請求項１又は２に記載の構造。
【請求項４】
前記コードは、その長さに沿って、前記穴の内側に摩擦を発生させるのに適した少なくとも１つの区域を有し、前記摩擦は、前記部品を前記区域内に保持するのに十分であることを特徴とする請求項１〜３のいずれか１項に記載の構造。
【請求項５】
前記少なくとも１つの区域内での前記コードの直径は、前記穴の直径と同じか、またはそれよりわずかに大きいことを特徴とする請求項１〜４のいずれか１項に記載の構造。
【請求項６】
前記部品は、前記ストッパ部材に当接する位置にあるとき、１つまたは複数の貴重品および／または装飾品用の支持体として機能することを特徴とする請求項１〜５のいずれか１項に記載の構造。
【請求項７】
前記ストッパ部材は、前記穴の直径より大きい直径の２つのボールを有することを特徴とする請求項１〜６のいずれか１項に記載の構造。
【請求項８】
前記摺動部品および／または前記貴重品および／または装飾品用のストッパを有することを特徴とする請求項１〜７のいずれか１項に記載の構造。
【請求項９】
前記部品は、断面が図案化されたわしの形状を示すことを特徴とする請求項１〜８のいずれか１項に記載の構造。
【手続補正２】
【補正対象書類名】明細書
【補正対象項目名】００１２
【補正方法】変更
【補正の内容】
【００１２】
特に上記図面を参照すると、全体が参照番号１で表された用途の柔軟性が高い装身具構造は、全体が２で表された部品を有し、その部品はそれぞれ３で表された２本のコードと摺動可能に組み合わされており、これらのコードはストッパ部材を第１端部に有しており、このストッパ部材は、たとえば、コード３の２つの小さいボール４でもよい。
【国際調査報告】
2005536301.tif 000011
2005536301.tif 000012
2005536301.tif 000013